(57)【要約】【課題】本発明は、ディスク装置、ディスク装置の制御方法、ディスク装置の制御方法のプログラムに関し、例えば光ディスクを用いた携帯型のビデオレコーダに適用して、従来に比して一段と効率良く電力消費を低減することができるようにする。【解決手段】本発明は、連続したデータの間欠的な記録及び又は再生で発生する休止期間Ｔ２の長さに応じて、省電力の程度を切り換える。【選択図】        図１
2004206775.tif 000002
【特許請求の範囲】
【請求項１】
連続するデータ列を所定のデータ量単位で間欠的にディスク状記録媒体に記録及び又は再生するディスク装置において、
前記間欠的な記録及び又は再生において前記データ列を前記ディスク状記録媒体に記録していない休止期間の間、前記ディスク状記録媒体に係る駆動回路の一部回路の動作を一時停止させるようにし、
前記休止期間の長さに応じて、動作を停止させる前記一部回路を切り換える
ことを特徴とするディスク装置。
【請求項２】
前記休止期間の長さが長くになるに従って、前記動作を停止させる一部回路を増大させる
ことを特徴とする請求項１に記載のディスク装置。
【請求項３】
前記休止期間の長さが長くになるに従って動作を停止させる一部回路が、相対的に動作を立ち上げるのに時間を要する回路である
ことを特徴とする請求項２に記載のディスク装置。
【請求項４】
連続するデータ列を所定のデータ量単位で間欠的にディスク状記録媒体に記録及び又は再生するディスク装置の制御方法において、
前記間欠的な記録及び又は再生において前記データ列を前記ディスク状記録媒体に記録していない休止期間の間、前記ディスク状記録媒体に係る駆動回路の一部回路の動作を一時停止させるようにし、
前記休止期間の長さに応じて、動作を停止させる前記一部回路を切り換える
ことを特徴とするディスク装置の制御方法。
【請求項５】
連続するデータ列を所定のデータ量単位で間欠的にディスク状記録媒体に記録及び又は再生するディスク装置の動作を制御するコンピュータに、所定の処理手順を実行させるディスク装置の制御方法のプログラムにおいて、
前記処理手順が、
前記間欠的な記録及び又は再生において前記データ列を前記ディスク状記録媒体に記録していない休止期間の間、前記ディスク状記録媒体に係る駆動回路の一部回路の動作を一時停止させる処理手順であり、
前記休止期間の長さに応じて、動作を停止させる前記一部回路を切り換えるステップを有する
ことを特徴とするディスク装置の制御方法のプログラム。
【発明の詳細な説明】
【０００１】
【発明の属する技術分野】
本発明は、ディスク装置、ディスク装置の制御方法、ディスク装置の制御方法のプログラムに関し、例えば光ディスクを用いた携帯型のビデオレコーダに適用することができる。本発明は、連続したデータの間欠的な記録及び又は再生で発生する休止期間の長さに応じて、省電力の程度を切り換えることにより、従来に比して一段と効率良く電力消費を低減することができるようにする。
【０００２】
【従来の技術】
従来、カメラ一体型ビデオテープレコーダにおいては、所望の被写体を撮像して得られるビデオデータを磁気テープによる記録媒体に記録するようになされている。このようなカメラ一体型ビデオテープレコーダにおいては、長時間操作されない場合には、全体の動作モードを待機モードに切り換え、これによりバッテリの電力消費を低減するようになされている。
【０００３】
これに対して近年、磁気テープに代えて、光ディスク等のディスク状記録媒体を用いたこの種の記録装置が種々に提案されるようになされている。このようなディスク状記録媒体による撮像装置においても、例えば特開平９−２１９８０６号公報に開示されているように、長時間操作されない場合には、全体の動作モードを待機モードに切り換え、これによりバッテリの電力消費を低減するようになされている。
【０００４】
【特許文献１】
特開平９−２１９８０６号公報
【０００５】
【発明が解決しようとする課題】
ところでこのようなディスク状記録媒体による機器において、一段と効率良く電力消費を低減することができれば、バッテリによる使用可能時間を一段と長くすることができ、便利であると考えられる。
【０００６】
本発明は以上の点を考慮してなされたもので、従来に比して一段と効率良く電力消費を低減することができるディスク装置、ディスク装置の制御方法、ディスク装置の制御方法のプログラムを提案しようとするものである。
【０００７】
【課題を解決するための手段】
かかる課題を解決するため請求項１の発明においては、連続するデータ列を所定のデータ量単位で間欠的にディスク状記録媒体に記録及び又は再生するディスク装置に適用して、間欠的な記録及び又は再生においてデータ列をディスク状記録媒体に記録していない休止期間の間、ディスク状記録媒体に係る駆動回路の一部回路の動作を一時停止させるようにし、休止期間の長さに応じて、動作を停止させる一部回路を切り換える。
【０００８】
また請求項４の発明においては、連続するデータ列を所定のデータ量単位で間欠的にディスク状記録媒体に記録及び又は再生するディスク装置の制御方法に適用して、間欠的な記録及び又は再生においてデータ列をディスク状記録媒体に記録していない休止期間の間、ディスク状記録媒体に係る駆動回路の一部回路の動作を一時停止させるようにし、休止期間の長さに応じて、動作を停止させる一部回路を切り換える。
【０００９】
また請求項５の発明においては、連続するデータ列を所定のデータ量単位で間欠的にディスク状記録媒体に記録及び又は再生するディスク装置の動作を制御するコンピュータに、所定の処理手順を実行させるディスク装置の制御方法のプログラムに適用して、この処理手順が、間欠的な記録及び又は再生においてデータ列をディスク状記録媒体に記録していない休止期間の間、ディスク状記録媒体に係る駆動回路の一部回路の動作を一時停止させる処理手順であり、休止期間の長さに応じて、動作を停止させる一部回路を切り換えるステップを有するようにする。
【００１０】
請求項１の構成により、連続するデータ列を所定のデータ量単位で間欠的にディスク状記録媒体に記録及び又は再生するディスク装置に適用して、間欠的な記録及び又は再生においてデータ列をディスク状記録媒体に記録していない休止期間の間、ディスク状記録媒体に係る駆動回路の一部回路の動作を一時停止させるようにし、休止期間の長さに応じて、動作を停止させる一部回路を切り換えるようにすれば、例えばデータ転送速度が遅いストリーミングデータを記録、再生する場合等の時間的余裕が大きい場合には、記録、再生の間に発生する各休止期間で、多くの回路の動作を停止させ、大きな省電力効果を得ることができ、例えばデータ転送速度が速いストリーミングデータを記録、再生する場合等の時間的余裕の少ない場合には、各休止期間で、動作を停止させる回路を制限し、記録、再生の繰り返しの処理に影響を与えないようにすることができる。これにより従来に比して細かく電力の供給を制御して、従来に比して一段と効率良く電力消費を低減することができる。
【００１１】
これにより請求項４、請求項５の構成によれば、従来に比して一段と効率良く電力消費を低減することができるディスク装置の制御方法、ディスク装置の制御方法のプログラムを提供することができる。
【００１２】
【発明の実施の形態】
以下、適宜図面を参照しながら本発明の実施の形態を詳述する。
【００１３】
（１）実施の形態の構成
図２は、本発明の実施の形態に係る記録装置を示すブロック図である。この記録装置は、携帯型のカメラ一体型の記録装置であり、従来のカメラ一体型ビデオテープレコーダにおける磁気テープによる記録再生系に代えて、光ディスク装置による記録再生系が設けられるようになされている。
【００１４】
すなわちこの記録装置１１において、カメラ部１２は、レンズを介して所望の被写体を撮像し、撮像結果によるビデオデータを出力する。ビデオエンコーダ１３は、このカメラ部１２より得られるビデオデータを例えばＭＰＥＧのフォーマットによりデータ圧縮して出力する。この処理において、ビデオエンコーダ１３は、発生データ量を一定値に保持するいわゆる固定ビットレートによりビデオデータをデータ圧縮し、システムブロック１６からの制御により、この発生データ量を切り換える。これによりこの記録装置１１においては、高画質モードと低画質モードとにより撮像結果を記録できるようになされている。マイク部１４は、マイクにより音声信号を取得して増幅し、ディジタル信号により出力する。オーディオエンコーダ１５は、このディジタル信号による音声信号をデータ圧縮して出力する。
【００１５】
システムブロック１６は、撮像結果の記録時においては、ビデオエンコーダ１３及びオーディオエンコーダ１５より出力されるビデオデータ及びオーディオデータを時分割多重化処理する。システムブロック１６は、この時分割多重化処理により高画質モード時及び低画質モード時でそれぞれ１０〔Ｍｂｐｓ〕及び５〔Ｍｂｐｓ〕のストリーミングデータを生成し、システムバッファ１６Ａを介してこのストリーミングデータをドライブブロック１７に出力する。また記録済の撮像結果を再生する場合、記録時とは逆に、ドライブブロック１７より得られる再生データをシステムバッファ１６Ａを介して入力し、この再生データをオーディオデータ及びビデオデータに分離してビデオデコーダ２１及びオーディオデコーダ２２に出力する。
【００１６】
またシステムブロック１６は、単に撮像結果等をモニタする場合、カメラ部１２から出力されるビデオデータ、マイク部１４から出力されるオーディオデータをそれぞれ表示部１９及び音声処理部２０、ライン出力に出力する。またシステムブロック１６は、これらの処理において、ユーザーによる操作に応動して、コントローラ１６Ｂによりドライブブロック１７等の各部に各種コマンドを出力し、これにより全体の動作を制御する。なおここでコントローラ１６Ｂは、この記録装置１１の動作を制御する内蔵のコンピュータであり、事前にインストールされた所定のプログラムの実行により後述する各種のコマンド等を出力する。
【００１７】
ビデオデコーダ２１は、再生時、システムブロック１６から出力されるビデオデータをデータ伸長して表示部１９、ライン出力に出力する。オーディオデコーダ２２は、再生時、システムブロック１６から出力されるオーディオデータをデータ伸長して音声処理部２０、ライン出力に出力する。
【００１８】
表示部１９は、撮像結果をモニタする場合、システムブロック１６から出力されるビデオデータにより液晶表示パネルを駆動し、これにより撮像結果のモニタ画像を表示する。これに対して再生時、ビデオデコーダ２１から出力されるビデオデータにより液晶表示パネルを駆動し、これにより再生結果のモニタ画像を表示する。音声処理部２０は、撮像結果をモニタする場合、システムブロック１６から出力されるオーディオデータによりスピーカ等を駆動し、これによりモニタ用の音声信号を出力する。これに対して再生時、オーディオデコーダ２２から出力されるオーディオデータによりスピーカ等を駆動し、これにより再生結果のモニタ用音声信号を出力する。
【００１９】
ドライブブロック１７は、光ディスク１８と共に光ディスク装置を構成し、システムブロック１６の出力データをドライブバッファ１７Ａに一時蓄積して光ディスク１８に記録する。また光ディスク１８に記録したデータを再生し、その結果得られる再生データをシステムブロック１６に出力する。このデータ転送処理において、ドライブブロック１７は、２０〔Ｍｂｐｓ〕のデータ転送速度により光ディスク１８にデータを記録再生する。
【００２０】
これにより図３に示すように、この記録装置１１においては、カメラ部１２及びマイク部１４から得られるビデオデータ及びオーディオデータをそれぞれビデオエンコーダ１３及びオーディオエンコーダ１５でデータ圧縮処理した後、システムブロック１６で時分割多重化処理し、その結果得られるストリーミングデータを光ディスク１８に記録することができるようになされている。またこの処理と同時並列的に、システムブロック１６を介して、カメラ部１２及びマイク部１４から得られるビデオデータ及びオーディオデータを表示部１９及び音声処理部２０に入力し、またライン出力により出力して撮像結果等をモニタすることができるようになされている。
【００２１】
また再生時においては、図４に示すように、光ディスク１８の再生データをドライブブロック１７よりシステムブロック１６に入力し、ここでビデオデータ及びオーディオデータに分離してそれぞれビデオデコーダ２１及びオーディオデコーダ２２でデータ伸長し、表示部１９及び音声処理部２０、外部機器で確認できるようになされている。
【００２２】
ここでこの記録装置１１は、システムブロック１６、ドライブブロック１７がＡＴＡＰＩ（ＡＴ Attachment Packet Interface）により接続されて、１００〔Ｍｂｐｓ〕のデータ転送速度によりデータ転送することができるようになされている。これにより記録装置１１では、ユーザーによる高画質モード、低画質モードの設定により図５に示すように、ビデオエンコーダ１３、オーディオエンコーダ１５からの入力データＤ１１を１０〔Ｍｂｐｓ〕又は５〔Ｍｂｐｓ〕によりシステムバッファ１６Ａに一時蓄積した後、最大１００〔Ｍｂｐｓ〕によりドライブバッファ１７Ａに転送して最大２０〔Ｍｂｐｓ〕により光ディスク１８に記録するようになされている。また光ディスク１８から最大２０〔Ｍｂｐｓ〕によりデータ再生してシステムバッファ１６Ａに転送し、１０〔Ｍｂｐｓ〕又は５〔Ｍｂｐｓ〕によりビデオデコーダ２１、オーディオデコーダ２２に出力するようになされている。
【００２３】
図６は、このようなデータ転送速度による記録装置１１において、高画質モードにおけるデータ転送を示すタイムチャートである。この実施の形態においては、システムバッファ１６Ａに蓄積されるストリーミングデータＤ１１のレートが１０〔Ｍｂｐｓ〕であるのに対し、光ディスク１８への記録レートが２０〔Ｍｂｐｓ〕であることにより、何らリトライの処理を実行しないとして、光ディスク１８に対してデータを記録する書き込み期間Ｔ１と、光ディスク１８へのデータの記録を休止している休止期間Ｔ２とが１：１の関係となるように間欠的に光ディスク１８にデータを記録し、またこの１回の書き込み期間によるデータ量が５〔Ｍｂｙｔｅ〕となるように、システムブロック１６に内蔵のコントローラ１６Ｂにより各部が制御される。
【００２４】
これによりユーザーの操作に応動して記録を開始すると（REC Start ）、システムブロック１６においては、１０〔Ｍｂｐｓ〕によりストリーミングデータをシステムバッファ１６Ａに入力して蓄積し（図６（Ａ）及び（Ｂ））、このストリーミングデータが５〔Ｍｂｙｔｅ〕蓄積されると（図６（Ｂ））、コントローラ１６Ｂによるドライブブロック１７への書き込みの指示により、この５〔Ｍｂｙｔｅ〕のストリーミングデータが１００〔Ｍｂｐｓ〕によりドライブブロック１７に転送され（図６（Ｃ））、このドライブブロック１７に転送されたデータＤ１２がドライブバッファ１７Ａを介して光ディスク１８に記録される（図６（Ｄ）及び（Ｅ））。これによりこの場合、ほぼ２秒周期で書き込み期間Ｔ１と休止期間Ｔ２とが交互に繰り返されて、間欠的にストリーミングデータを記録するようになされている。
【００２５】
これに対して図６との対比により図７に示すように、低画質モードによる場合、高画質モードの場合と同様に、システムバッファ１６Ａに蓄積されたデータ量を基準にしたコントローラ１６Ｂによる各部の制御により、記録を開始すると（REC Start ）、５〔Ｍｂｐｓ〕によるストリーミングデータがシステムバッファ１６Ａに入力され（図７（Ａ）及び（Ｂ））、このストリーミングデータが５〔Ｍｂｙｔｅ〕蓄積されると、システムブロック１６のコントローラ１６Ｂによる制御により、この５〔Ｍｂｙｔｅ〕のストリーミングデータが１００〔Ｍｂｐｓ〕によりドライブブロック１７に転送され（図７（Ｃ））、このドライブブロック１７に転送されたデータＤ１２がドライブバッファ１７Ａを介して光ディスク１８に記録される（図７（Ｄ）及び（Ｅ））。これによりこの場合、ほぼ２秒間の書き込み期間Ｔ１と６秒間の休止期間Ｔ２とが交互に繰り返されて、間欠的にストリーミングデータを記録するようになされている。
【００２６】
これに対応して再生時においても、同様の５〔Ｍｂｙｔｅ〕による一定データ量を単位にした間欠的な再生の処理により、図８に示すように、高画質モードによる撮像結果を再生する場合、ユーザーにより再生が指示されると（PB Start）、システムブロック１６のコントローラ１６Ｂよりドライブブロック１７に５〔Ｍｂｙｔｅ〕分のデータ再生が指示され、その結果、ほぼこの再生の指示と同時に、光ディスク１８から２０〔Ｍｂｐｓ〕によりストリーミングデータが再生され（図８（Ｅ））、この再生されたストリーミングデータが即座にリクエスト側であるシステムブロック１６に転送される（図８（Ｃ）及び（Ｄ））。なおこの場合、システムブロック１６とドライブブロック１７との間のデータ転送速度は、光ディスク１８から２０〔Ｍｂｐｓ〕により再生されたストリーミングデータが、ＡＴＡＰＩによる３２〔Ｋｂｙｔｅ〕のパケット単位で伝送されることにより、結局、ほぼ２０〔Ｍｂｐｓ〕となる。
【００２７】
記録装置１１では、このようにしてドライブブロック１７から転送されるストリーミングデータがシステムバッファ１６Ａに蓄積され、このシステムバッファ１６Ａのデータ量が一定データ量（この図８の例では２〔Ｍｂｙｔｅ〕）となると、ビデオデコーダ２１、オーディオデコーダ２２へのデータ出力を開始する（図８（Ａ）及び（Ｂ））。またこのようにしてデータ出力を開始して、リトライ等によりドライブブロック１７からのストリーミングデータが一時的に途絶えた場合でも十分にフリーズ等を回避し得る限界程度にまでシステムバッファ１６Ａのデータ量が減少すると（この図８の例では１〔Ｍｂｙｔｅ〕）、システムブロック１６のコントローラ１６Ｂからドライブブロック１７に５〔Ｍｂｙｔｅ〕分のデータ再生が指示される。
【００２８】
これによりこの場合も、書き込み期間Ｔ１に対応する読み出し期間Ｔ３と、休止期間Ｔ２とが２秒周期で繰り返され、光ディスク１８に記録されたデータを再生するようになされている。
【００２９】
これに対して図８との対比により図９に示すように、低画質モードによる再生の場合、高画質モードの場合と同様の、システムバッファ１６Ａに蓄積されたデータ量を基準にした各部の制御により、再生が指示されると（PB Start）、システムブロック１６のコントローラ１６Ｂよりドライブブロック１７に５〔Ｍｂｙｔｅ〕分のデータ再生が指示され、その結果、ほぼこの再生の指示と同時に、光ディスク１８から２０〔Ｍｂｐｓ〕によりストリーミングデータが再生され（図９（Ｅ））、この再生されたストリーミングデータがシステムブロック１６に転送される（図９（Ｃ）及び（Ｄ））。
【００３０】
記録装置１１では、このようにしてドライブブロック１７から転送されるストリーミングデータがシステムバッファ１６Ａに蓄積され、このシステムバッファ１６Ａのデータ量が２〔Ｍｂｙｔｅ〕となると、ビデオデコーダ２１、オーディオデコーダ２２へのデータ出力を開始する（図９（Ａ）及び（Ｂ））。またこのようにしてデータ出力を開始して、リトライ等によりドライブブロック１７からのストリーミングデータが一時的に途絶えた場合でも十分にフリーズ等を回避し得る限界程度にまでシステムバッファ１６Ａのデータ量が減少すると（この図９の例では０．５〔Ｍｂｙｔｅ〕）、システムブロック１６のコントローラ１６Ｂからドライブブロック１７に５〔Ｍｂｙｔｅ〕分のデータ再生が指示される。
【００３１】
これによりこの場合も、書き込み期間Ｔ１に対応する２秒間の読み出し期間Ｔ３と、６秒間の休止期間Ｔ２とが交互に繰り返され、光ディスク１８に記録されたデータを再生するようになされている。なおこれらシステムブロック１６からドライブブロック１７への書き込み、読み出しのコマンドにおいては、ＡＴＡＰＩによるパケット（ペイロードが３２〔Ｋｂｙｔｅ〕である）毎に繰り返される。
【００３２】
かくするにつきこれら図６〜図９に係る動作においては、システムブロック１６のコントローラ１６Ｂから出力されるコマンドに応動してドライブブロック１７が即座に記録再生を開始する場合であり、その前提としてドライブブロック１７の各部が常時動作している場合について述べたのものであり、例えばこの記録装置１１が、商用電源により動作している場合である。これに対してこの記録装置１１においては、バッテリの電源により動作している場合、上述したドライブブロック１７における休止期間Ｔ２の間、システムブロック１６のコントローラの制御によりドライブブロック１７の動作モードを省電力モードに切り換える。
【００３３】
これに対応してドライブブロック１７は、光ディスク１８に係る一部構成の動作を停止させることにより、省電力モードに動作モードを切り換え、この動作を停止させる部位をシステムブロック１６からのコマンドにより切り換えることにより、省電力モードにおいて電力消費の程度を段階的に切り換える。
【００３４】
すなわち電力を低減される程度の小さなアイドル（Idle）によるコマンドがシステムブロック１６から出力されると、ドライブブロック１７は、動作を開始させて正常な動作への立ち上げに要する立ち上げ時間が相対的に短い回路について、動作を停止させる。具体的に、この実施の形態では、このアイドルコマンドに対応して動作を停止させる回路に、スピンドルモータのサーボ回路、磁気ヘッドのトラッキング制御回路が割り当てられ、ドライブブロック１７は、これら回路への電力の供給を停止することにより、これら回路の動作を停止する。これによりドライブブロック１７は、この場合、何らスピンドルモータの回転速度を制御しないようにし、また光ピックアップをトラッキング制御しないようにし、その分、これらの回路が消費する電力を低減するようになされている。
【００３５】
これに対して電力を低減させる程度の大きなストップ（Stop）のコマンドがシステムブロック１６から出力されると、ドライブブロック１７は、アイドルコマンドに対応して動作を停止させる回路に加えて、立ち上げ時間が相対的に長い回路についても、動作を停止させる。具体的に、この実施の形態では、このストップコマンドに対応してさらに動作を停止させる回路に、スピンドルモータの駆動回路が割り当てられ、ドライブブロック１７においては、この駆動回路についても電力の供給を停止することにより動作を停止させる。これによりドライブブロック１７は、この場合、惰性により光ディスク１８を回転させて、これらの回路が消費する電力を低減するようになされている。
【００３６】
これらのコマンドに対応してドライブブロック１７は、スタートコマンドによりストップ（Stop）のコマンドによる省電力モードを解除してアイドル（Idle）による省電力モードに動作を切り換え、また読み出し、書き込みのコマンドがシステムブロック１６より入力されると、ストップ（Stop）、アイドル（Idle）のコマンドによる省電力モードの動作モードを解除して通常の起動状態に動作を立ち上げ、これらによりこれら読み出し、書き込みのコマンドに対応してシステムブロック１６の出力データを光ディスク１８に記録し、また光ディスク１８に記録されたデータを再生してシステムブロック１６に出力する。
【００３７】
これによりシステムブロック１６のコントローラ１６Ｂにおいて、記録時においてはユーザーによる動作モードの設定により、再生時においては再生対象のファイルに係る情報より、記録再生対象であるストリーミングデータのモードを判定し、休止期間Ｔ２が相対的に短く、その分、時間的余裕の少ない高画質モードによるストリーミングデータを記録再生する場合、５〔Ｍｂｙｔｅ〕分のデータの書き込み完了がドライブブロック１７から通知されると、またはドライブブロック１７から５〔Ｍｂｙｔｅ〕分のデータが転送されると、アイドルコマンドを出力し、これにより消費電力の低減効果の小さな省電力モードにドライブブロック１７の動作モードを切り換える。
【００３８】
これに対して休止期間Ｔ２が相対的に長く、その分、時間的余裕の大きい低画質モードによるストリーミングデータを記録再生する場合、５〔Ｍｂｙｔｅ〕分のデータの書き込み完了がドライブブロック１７から通知されると、またはドライブブロック１７から５〔Ｍｂｙｔｅ〕分のデータが転送されると、ストップコマンドを出力し、これにより消費電力の低減効果の大きな省電力モードにドライブブロック１７の動作モードを切り換える。
【００３９】
また高画質モード、低画質モードによる記録再生時、ユーザーにより記録再生の停止が指示されると、ストップコマンドを出力する。
【００４０】
すなわち図１は、図６との対比によりバッテリ駆動により高画質モードでストリーミングデータを記録する場合を示すタイムチャートであり、この場合、ユーザーにより記録の開始が指示されると、システムブロック１６のコントローラ１６Ｂにおいては、ドライブブロック１７にスタートコマンド（Start ）を出力し（図１（Ａ）及び（Ｂ））、これによりストップ（Stop）のコマンドによる省電力モードからアイドル（Idle）のコマンドによる省電力モードにドライブブロック１７の動作を切り換える。また同時に、システムバッファ１６Ａへのストリーミングデータの蓄積を開始し、５〔Ｍｂｙｔｅ〕蓄積されると、書き込みコマンド（Write ）によりこのシステムバッファ１６Ａに蓄積した５〔Ｍｂｙｔｅ〕のデータをドライブブロック１７に転送し（図１（Ｃ））、これによりアイドルコマンドによる省電力モードから通常の動作モードにドライブブロック１７の動作を立ち上げると共に、この転送したデータＤ１２を光ディスク１８に記録する（図１（Ｄ）及び（Ｅ））。
【００４１】
またこのようにして５〔Ｍｂｙｔｅ〕分のデータの記録が完了すると、コントローラ１６Ｂは、ドライブブロック１７にアイドルコマンド（Idle）を発行し、これにより省電力モードに動作モードを切り換える。また続いてシステムバッファ１６Ａにストリーミングデータが５〔Ｍｂｙｔｅ〕蓄積されると、再び、書き込みのコマンドを発行し、省電力モードから通常の動作モードにドライブブロック１７を立ち上げてこの５〔Ｍｂｙｔｅ〕分のデータを記録する。
【００４２】
なおこのようなストップコマンドによる省電力モードからアイドルコマンド（Idle）による省電力モードへの動作モードの切り換えにおいては、２．４秒程度の時間を要し、アイドルコマンドによる省電力モードから通常の動作モードへの動作の立ち上げにいおては０．４秒程度の時間を要するのに対し、ストリーミングデータの蓄積を開始して５〔Ｍｂｙｔｅ〕分のデータが蓄積されるまでは、約４秒程度の時間を要する。これにより、このようにユーザーによる記録の指示により省電力モードから動作モードを立ち上げて記録するようにしても、何ら省電力モードに設定しない場合に比して時間遅れすることなく、カメラ部１２で得られる撮像結果を記録することができる。
【００４３】
また１００〔Ｍｂｐｓ〕による伝送速度においては、５〔Ｍｂｙｔｅ〕分のデータを０．４秒程度で伝送し、またこの５〔Ｍｂｙｔｅ〕分のデータにあっては、約４秒の期間により記録を完了することにより、このように間欠的な記録における休止期間Ｔ２において省電力モードに動作を切り換えるようにしても、十分に余裕をもって動作を立ち上げることができる。
【００４４】
これに対して図１０は、図７との対比によりバッテリ駆動により低画質モードでストリーミングデータを記録する場合を示すタイムチャートであり、この場合、ユーザーにより記録の開始が指示されると、システムブロック１６のコントローラ１６Ｂにおいては、システムバッファ１６Ａへのストリーミングデータの蓄積を開始し、５〔Ｍｂｙｔｅ〕蓄積されると、書き込みコマンド（Write ）によりこのシステムバッファ１６Ａに蓄積した５〔Ｍｂｙｔｅ〕のデータをドライブブロック１７に転送する（図１０（Ａ）、（Ｂ）及び（Ｃ））。これによりコントローラ１６Ｂは、ドライブブロック１７をストップ（Stop）のコマンドによる省電力モードから通常の動作モードに立ち上げ、この５〔Ｍｂｙｔｅ〕分のデータを光ディスク１８に記録する（図１０（Ｄ）及び（Ｅ））。
【００４５】
またこのようにして５〔Ｍｂｙｔｅ〕分のデータの記録が完了すると、コントローラ１６Ｂは、ドライブブロック１７にストップコマンドを発行し、これにより省電力モードに動作モードを切り換える。また続いてシステムバッファ１６Ａにストリーミングデータが５〔Ｍｂｙｔｅ〕蓄積されると、再び、書き込みのコマンド(Write) を発行し、省電力モードから通常の動作モードにドライブブロック１７を立ち上げてこの５〔Ｍｂｙｔｅ〕分のデータを記録する。
【００４６】
これに対して図１１は、図８との対比によりバッテリ駆動により高画質モードのストリーミングデータを再生する場合を示すタイムチャートであり、この場合、ユーザーにより再生の開始が指示されると、システムブロック１６のコントローラ１６Ｂにおいては、ドライブブロック１７に読み出しコマンド（Read）を発行し、これによりドライブブロック１７をストップコマンドによる省電力モードから通常の動作モードに立ち上げる（図１１（Ａ）及び（Ｂ））。またドライブブロック１７が動作を立ち上げて再生したデータが順次送出されると、このデータをシステムバッファ１６Ａに記録し、このデータ量が一定量（２〔Ｍｂｙｔｅ〕）となると、ビデオデコーダ２１、オーディオデコーダ２２への出力を開始し、このデータ量が３．５〔Ｍｂｙｔｅ〕になると、連続した再生データのデータ量が５〔Ｍｂｙｔｅ〕となることにより、ドライブブロック１７にアイドルコマンドを出力する（図１１（Ｂ）〜（Ｅ））。またこのシステムバッファ１６Ａのデータ量が所定量以下となると、ドライブバッファ１７Ａに読み出しコマンドを発行し、これらの処理を繰り返す。
【００４７】
これに対して図１２は、図９との対比によりバッテリ駆動により低画質モードのストリーミングデータを再生する場合を示すタイムチャートであり、この場合、ユーザーにより再生の開始が指示されると、システムブロック１６のコントローラ１６Ｂにおいては、ドライブブロック１７に読み出しコマンド（Read）を発行し、これによりドライブブロック１７をストップコマンド（Stop）による省電力モードから通常の動作モードに立ち上げる（図１２（Ａ）及び（Ｂ））。またドライブブロック１７が動作を立ち上げて再生したデータが順次送出されると、このデータをシステムバッファ１６Ａに記録し、このデータ量が一定量（２〔Ｍｂｙｔｅ〕）となると、ビデオデコーダ２１、オーディオデコーダ２２への出力を開始し、このデータ量が３．５〔Ｍｂｙｔｅ〕になると、連続した再生データのデータ量が５〔Ｍｂｙｔｅ〕となることにより、ドライブブロック１７にストップコマンドを出力する（図１２（Ｂ）〜（Ｅ））。またこのシステムバッファ１６Ａのデータ量が所定量以下となると、ドライブバッファ１７Ａに読み出しコマンドを発行し、これらの処理を繰り返す。
【００４８】
（２）実施の形態の動作
以上の構成において、この記録装置１１では（図２及び図３）、カメラ部１２及びマイク部１４により撮像結果であるビデオデータ、被写体からのオーディオデータが取得され、これらビデオデータ及びオーディオデータがシステムブロック１６を介して表示部１９、音声処理部２０に供給され、これにより撮像結果、被写体の音声をモニタすることができる。
【００４９】
また光ディスク１８に撮像結果を記録する場合、カメラ部１２及びマイク部１４より出力されるビデオデータ及びオーディオデータがそれぞれビデオエンコーダ１３、オーディオエンコーダ１５でデータ圧縮された後、システムブロック１６で時分割多重化処理されてストリーミングデータが生成される。さらにこのストリーミングデータがシステムバッファ１６Ａに蓄積され、このシステムバッファ１６Ａのデータ量が一定量となると、ＡＴＡＰＩインターフェースによりドライブブロック１７に伝送され、このドライブブロック１７のドライブバッファ１７Ａを介して２０〔Ｍｂｐｓ〕のレートにより光ディスク１８に記録される（図３）。
【００５０】
記録装置１１では、ユーザーにより高画質モードによる記録が指示されると、このようにして記録されるストリーミングデータが１０〔Ｍｂｐｓ〕のデータ転送速度により生成されるのに対し、ユーザーにより低画質モードによる記録が指示されると、５〔Ｍｂｐｓ〕のデータ転送速度により生成され、これにより光ディスク１８への記録においては、一定のデータ量を単位にして間欠的にストリーミングデータが記録される。また高画質モード及び低画質モードにおいて、記録に供するストリーミングデータがそれぞれ１０〔Ｍｂｐｓ〕及び５〔Ｍｂｐｓ〕のデータ転送速度により生成されることにより、このような間欠的な記録においては、低画質モードにおける記録の方が時間的な余裕が大きくなり、光ディスク１８へデータを記録していない休止期間の長さが低画質モードで長くなる。
【００５１】
これによりこの記録装置１１では、バッテリにより動作している場合、システムブロック１６のコントローラ１６Ｂの制御により、休止期間Ｔ２の間、ドライブブロック１７が省電力モードに動作を切り換え、全体の電力消費が抑圧される。この制御において、相対的に休止期間Ｔ２が短い高画質モードにおいては、システムブロック１６から出力されるアイドルコマンドにより、光ディスク１８に係る駆動回路のうち、比較的、動作の立ち上げに時間を要しないスピンドルサーボ回路、トラッキング制御回路への電源の供給が停止されてこれらの回路の動作が停止され、これによりこれら回路の消費電力の分、消費電力が低減される。
【００５２】
これに対して時間的な余裕の大きな低画質モードにおいては、システムブロック１６から出力されるストップコマンドにより、これらの回路に加えて、これら回路より立ち上げに時間を要するスピンドル駆動回路についても、電源の供給が停止され、さらに一段と電力消費が低減される。これによりこの実施の形態においては、連続したデータの間欠的な記録で発生する休止期間の長さに応じて、省電力の程度を切り換えるようになされ、その分従来に比して一段と効率良く電力消費を低減することができる。
【００５３】
すなわちこのような休止期間においては、ストリーミングデータのレートに対応することにより、この実施の形態においては、パワーセーブの制御をビットレートの変動に対して適応的に実施して最適なパワーセーブ効果を得ることができ、その分、バッテリ駆動による使用可能時間を長くすることができる。
【００５４】
またこのような低画質モードにおいては、光ディスクへの記録可能時間が長くなり、この実施の形態によれば、この記録可能時間が長くなる低画質モードで、バッテリの電力消費を小さくし得ることにより、記録媒体の記録時間とバッテリの使用可能時間との整合性を向上させることができる。
【００５５】
これに対して再生時においては（図４）、光ディスク１８より対応するデータが再生され、この再生したデータがシステムブロック１６に入力される。ここで再生データは、システムバッファ１６Ａに一時蓄積された後、ビデオデータ及びオーディオデータに分離され、それぞれビデオデコーダ２１及びオーディオデコーダ２２によりデータ伸長され、表示部１９及び音声処理部２０に出力される。
【００５６】
この一連の処理においても、記録装置１１では、２０〔Ｍｂｐｓ〕のレートにより光ディスク１８に記録されたデータが再生され、またそれぞれ高画質モード及び低画質モードにおいて、１０〔Ｍｂｐｓ〕及び５〔Ｍｂｐｓ〕のデータ転送速度によりシステムバッファ１６Ａに蓄積されたデータがビデオデコーダ２１及びオーディオデコーダ２２に出力される。これによりこの場合も、間欠的に光ディスク１８からストリーミングデータが再生され、またこの再生の際の休止期間Ｔ２においては、低画質モードの方が長くなる。
【００５７】
記録装置１１においては、この再生の処理においても、バッテリにより動作している場合、システムブロック１６のコントローラ１６Ｂの制御により、休止期間Ｔ２の間、ドライブブロック１７が省電力モードに動作を切り換え、全体の電力消費が抑圧される。またこの制御において、相対的に休止期間Ｔ２が短い高画質モードにおいては、システムブロック１６から出力されるアイドルコマンドにより、光ディスクに係る駆動回路のうち、比較的、動作の立ち上げに時間を要しないスピンドルサーボ回路、トラッキング制御回路への電源の供給が停止されてこれらの回路の動作が停止され、これによりこれら回路の消費電力の分、消費電力が低減される。
【００５８】
これに対して時間的な余裕の大きな低画質モードにおいては、システムブロック１６から出力されるストップコマンドにより、これらの回路に加えて、これら回路より立ち上げに時間を要するスピンドル駆動回路についても、電源の供給が停止され、さらに一段と電力消費が低減される。これによりこの実施の形態においては、連続したデータの間欠的な再生で発生する休止期間Ｔ２の長さに応じて、省電力の程度を切り換えるようになされ、その分従来に比して一段と効率良く電力消費を低減することができるようになされている。
【００５９】
（３）実施の形態の効果
以上の構成によれば、連続したデータの間欠的な記録及び又は再生で発生する休止期間の間、光ディスクに係る駆動回路の一部回路の動作を停止させるようにして、この休止期間の長さに応じてこの一部回路を切り換えることにより、この休止期間の長さに応じて省電力の程度を切り換え、これにより従来に比して一段と効率良く電力消費を低減することができる。
【００６０】
またこのときこの休止期間の長さが長くになるに従って、動作を停止させる一部回路を増大させるようにして、休止期間における時間的な余裕に応じて、消費電力を低減することができる。
【００６１】
すなわち休止期間の長さが長くになるに従って動作を停止させる一部回路を、相対的に動作を立ち上げるのに時間を要する回路に設定して、休止期間における時間的な余裕に応じて、消費電力を低減することができる。
【００６２】
（４）他の実施の形態
なお上述の実施の形態においては、いわゆる固定ビットレートによるストリーミングデータを記録再生する場合について述べたが、本発明はこれに限らず、可変ビットレート（ＶＢＲ：Variable Bit Rate ）によるストリーミングデータを記録する場合にも広く適用することができる。なおこの場合、休止期間が変動することになるが、記録時においては、エンコーダの処理、システムバッファのデータ量を監視することにより、再生時においては、デコーダの処理、システムバッファのデータ量を監視することにより、休止期間を予測してアイドルコマンド、ストップコマンドを出力することにより対応することができる。
【００６３】
また上述の実施の形態においては、アイドルコマンド、ストップコマンドの何れかにより休止期間を省電力モードに設定する場合について述べたが、本発明はこれに限らず、例えばリトライの直接、間接の監視により、アイドルコマンド、ストップコマンドと何ら省電力モードに設定しない場合との組み合わせによりドライブブロックを制御するようにしてもよい。
【００６４】
また上述の実施の形態においては、省電力モードにおける省電力の程度を２段階で切り換える場合について述べたが、本発明はこれに限らず、３段階以上で切り換えるようにしてもよい。
【００６５】
また上述の実施の形態においては、事前にインストールされたプログラムをコントローラにより実行して省電力モードに係る一連の制御を実行する場合について述べたが、本発明はこれに限らず、このような省電力モードに係る制御プログラムにおいては、インターネット等のネットワークを介したダウンロードにより、さらには各種の記録媒体により提供するようにしてもよい。なおこのような記録媒体としては、磁気ディスク、光ディスク、磁気テープ、メモリカード等の記録媒体を適用することができる。
【００６６】
また上述の実施の形態においては、ディスク状記録媒体の１つである光ディスクにストリーミングデータを記録再生する場合について述べたが、本発明はこれに限らず、光磁気ディスク、ハードディスク等、種々のディスク状記録媒体に所望のデータを記録再生する場合に広く適用することができる。
【００６７】
【発明の効果】
上述のように本発明によれば、連続したデータの間欠的な記録及び又は再生で発生する休止期間の長さに応じて、省電力の程度を切り換えることにより、従来に比して一段と効率良く電力消費を低減することができる。
【図面の簡単な説明】
【図１】本発明の実施の形態に係る記録装置の高画質モードによる記録時の動作の説明に供するタイムチャートである。
【図２】本発明の実施の形態に係る記録装置を示すブロック図である。
【図３】図２の記録装置における記録時のデータの流れを示すブロック図である。
【図４】図２の記録装置における再生時のデータの流れを示すブロック図である。
【図５】図２の記録装置におけるデータ転送におけるレートの説明に供するブロック図である。
【図６】図２の記録装置における高画質モードにおける記録の処理の説明に供するタイムチャートである。
【図７】図２の記録装置における低画質モードにおける記録の処理の説明に供するタイムチャートである。
【図８】図２の記録装置における高画質モードにおける再生の処理の説明に供するタイムチャートである。
【図９】図２の記録装置における低画質モードにおける再生の処理の説明に供するタイムチャートである。
【図１０】図２の記録装置の低画質モードによる記録時の動作の説明に供するタイムチャートである。
【図１１】図２の記録装置の高画質モードによる再生時の動作の説明に供するタイムチャートである。
【図１２】図２の記録装置の低画質モードによる再生時の動作の説明に供するタイムチャートである。
【符号の説明】
１１……記録装置、１３……ビデオエンコーダ、１５……オーディオエンコーダ、１６……システムブロック、１６Ａ……システムバッファ、１６Ｂ……コントローラ、１７……ドライブブロック、１７Ａ……ドライブバッファ、１８……光ディスク
【図１】
2004206775.tif 000003
【図２】
2004206775.tif 000004
【図３】
2004206775.tif 000005
【図４】
2004206775.tif 000006
【図５】
2004206775.tif 000007
【図６】
2004206775.tif 000008
【図７】
2004206775.tif 000009
【図８】
2004206775.tif 000010
【図９】
2004206775.tif 000011
【図１０】
2004206775.tif 000012
【図１１】
2004206775.tif 000013
【図１２】
2004206775.tif 000014